(57)【要約】本発明は、沸騰または食物の調理に使用される調理器具に関する。より詳細には、水又は食物を簡単に加熱でき、内部の水または食物のオーバーフローを防ぐことができ、適切に蒸気温度と蒸気圧を維持することができ、調理時間を短縮し、調理中の安全性と便宜を増す調理ポットに関する。この目的のために、本発明による調理ポットは、水または食物で満たされたポット本体、およびポット本体の上部開口の開閉をするための蓋を有し、該蓋は背面に補助加熱手段を有し、こはポット本体の内側方向につきだしており、その背面のリムは蓋が本体とあわされている方向につきだしている；蒸気排出手段を有する外蓋の側部であり、該手段は調理ポット中の蒸気圧によって蒸気換気を調節することができる；該蓋の上面に電源接続手段を有するノブを有し、これは前記補助加熱手段と電気的に接続されている、調理ポットを提供する。
2004524941.tif 000002
【特許請求の範囲】
【請求項１】
水と食物を含むポット本体、およびポット本体の上部の開口部分を開閉するための蓋を有する調理ポットであって、
ポット本体の内部へ突き出ている蓋の内側に形成される補助加熱手段；
前記ポット本体との接続部分の方向に沿って突き出る蓋の外側の縁に形成され、調理ポット中の蒸気圧によって蒸気換気をコントロールすることができる蒸気換気手段を有する側部；
蓋の上面に確保された蓋ハンドル；
そして前記ハンドルに形成され、外部電源手段と接続するか、切断する電源接続手段であって、電気的に前記補助加熱手段に接続されているもの、
を有する調理ポット。
【請求項２】
ストリングコイルが前記補助加熱手段の上端に形成され、該コイルの外縁を囲んで加熱板が形成される、請求項１記載の調理ポット。
【請求項３】
該蒸気換気手段が、長さ方向に沿って蓋の側面に形成された複数のスリットである、請求項１記載の調理ポット。
【請求項４】
電源接続手段が、
本体とホルダーを有するソケット、
ホルダーの壁の上に形成されたスルーホール中に配置される鋼球、
ソケットの外側に配置される押し込み部分であって、長さ方向に上下に移動できるもの、および
該ホルダーと押し込み部分との間に形成されたスプリング、
を有する、請求項１記載の調理ポット。
【請求項５】
ソケットのホルダーに、プラグ受容部が形成され、電源手段のプラグを受容し、接続デバイスが該プラグの接続末端と電気的に接続するようにインストールされる、請求項４記載の調理ポット。
【請求項６】
弧状の溝が該押し込み部分の内側に、鋼球と同じ寸法で形成され、該押し込み部分が押し下げられたときに弧状の溝が鋼球と組み合わされるようにする、請求項４記載の調理ポット。
【請求項７】
エンゲージメント溝がプラグの外周縁に、鋼球と同じ寸法で形成され、該プラグがソケットのホルダーに挿入されたときに、鋼球がエンゲージメント溝にしっかりと確保されるようにする、請求項５または６記載の調理ポット。
【請求項８】
水と食物を含むポット本体、およびポット本体の上部の開口部分を開閉するための蓋を有する調理ポットであって、
前記ポット本体との接続部分の方向に沿って突き出る蓋の外側の縁に形成され、調理ポット中の蒸気圧によって蒸気換気をコントロールすることができる蒸気換気手段を有する側部；
蓋の上面に形成されたパイプ状のハンドル；
ハンドル内に挿入され、外部電線と接続される補助加熱手段、
を有する調理ポット。
【請求項９】
該蒸気換気手段が、長さ方向に沿って蓋の側面に形成された複数のスリットである、請求項８記載の調理ポット。
【請求項１０】
補助加熱手段が棒状に成型され、電線と反対側にコイルがビルトインされ、該コイルおよび電線が電気的に接続されている、請求項８記載の調理ポット。
【請求項１１】
接続手段が補助加熱手段と接続されるハンドルの上端に形成され、該接続手段が、
ハンドルの上端に形成されたホルダー、
ホルダー部分の壁のスルーホール中に配置される鋼球、
ソケットの外側に形成される押し込み部分であって、長さ方向に上下に移動できるもの、および
該ホルダーと押し込み部分との間に形成されたスプリング、
を有する、請求項８記載の調理ポット。
【請求項１２】
弧状の溝が該押し込み部分の内側に、鋼球と同じ寸法で形成され、該押し込み部分が押し下げられたときに弧状の溝が鋼球と組み合わされるようにする、請求項１１記載の調理ポット。
【請求項１３】
エンゲージメント溝が補助加熱手段の外周縁に、鋼球と同じ寸法でインストールされ、該補助加熱手段がソケットのホルダーに挿入されたときに、鋼球がエンゲージメント溝にしっかりと確保されるようにする、請求項１１または１２記載の調理ポット。
【請求項１４】
水と食物を含むポット本体、およびポット本体の上部の開口部分を開閉するための蓋を有する調理ポットであって、
該ポット本体の底部および側部に形成されたコイル、
電気的にコイルと接続され、外部電源手段と接続されている電源接続手段、
前記ポット本体との接続方向に突き出る蓋の外側の縁に形成され、調理ポット中の蒸気圧によって蒸気換気をコントロールすることができる蒸気換気手段を有する側部；
を含む調理ポット。
【請求項１５】
電源接続手段が、ソケットおよび温度コントローラーを含み、ポット本体の側面に形成されたハンドル内にインストールされる、請求項１１記載の調理ポット。
【請求項１６】
該蒸気換気手段が、長さ方向沿って蓋の側面に形成された複数のスリットである、請求項１４または１５記載の調理ポット。
【発明の詳細な説明】
【技術分野】
【０００１】
本発明は、食物をゆでるか半ゆでにするための調理機器、およびより特に、インスタントの麺を含む麺を調理し、野菜を半ゆでにするために使用される調理ポットに関する。
【背景技術】
【０００２】
従来、コーヒーを作るためのコーヒーポットおよび薬草抽出物を抽出するための東洋の漢方医学ポットは、底に組み込まれた電気加熱手段を有する。他方では、煮沸用ポットの大部分は、それらの熱源としてガスレンジのような外部熱源を使用する。
【０００３】
しかし、従来のポットの使用によるガスレンジによる調理の過程で、多くの水あるいはだし汁を持っている食物が沸点に達する場合、水またはだし汁が蓋を持ち上げつつ、蒸気とともにしばしばオーバーフローする。もしそのままにしておかれれば、ガスレンジの炎はオーバーフローする水およびだし汁によって消され、より悪い場合には水を供給しなければならず、食物の場合には、追加された水のために新しく調味料を加えなければならない。
【０００４】
一方、調理の間にオーバーフローをさけるために蓋を開いておいた場合、蓋なしの場合、蓋を時々開け閉めする場合でさえ、正確に調理ポットのための火の強さを調節しなければならない。
【０００５】
しかし、蓋をしない調理は、熱効率において不利であり、調理の間に蓋をしばしば上げることは面倒であり、また熱の損失を引き起こすし、したがって、より多くの調理時間が必要であり、また料理の状態の合理的なコントロールが困難となる。他方では、それは火の強さを直接コントロールするのは全く面倒で、時間と程度を正確に調節するのは困難である。
【０００６】
発明の要約
従って、本発明は関連する技術に生じる問題を解決するために作られた。また、本発明の目的は、水の加熱または料理用時間を最大限に短くすることができる調理ポットを提供することである。
【０００７】
本発明の別の目的は、沸点に達した後でさえ大きな熱エネルギーを有する水のオーバーフローを防ぐことができ、適切に蒸気温度と蒸気圧を維持することができる調理ポットを提供することである、またそのためにエネルギーの削減、安全性の確保、また調理中の便宜を増す。
【０００８】
上記の目的を達成するため、本発明による調理ポットは、水または食物で満たされたポット本体、およびポット本体の上部開口の開閉をするための蓋からなり、該蓋の内側に補助加熱手段がありこれはポット本体の深さ方向につきだして配置され、蓋の反対側に蓋の外側の縁でポット本体との接続方向につきだし、調理ポット中の蒸気圧によって蒸気換気をコントロールすることができる蒸気換気手段を有する側部を形成し、
蓋の上面にインストールされたハンドルにおける、外部電源手段と接続するか、切断する電源接続部分を有する点に特徴を有する。
【０００９】
そのため、本発明の調理ポットでは、ガスレンジのような外部加熱源と、調理ポット内に形成された補助加熱手段とで二重に加熱され、調理ポット中の水および食糧は熱源とより多く接触し、はるかに速く加熱される。そして他方、蓋の側部に形成される、蒸気圧によって蒸気排出をコントロールすることができる蒸気排出手段によって、蒸気の過剰な排出を抑制することができ、調理ポットの内部の温度および圧力を維持することができる。
さらに、本発明の調理ポットは、ポット本体の上部開口の開閉を行うための蓋が、カバーの外側の縁にポット本体の上との接続方向につきだした側部を形成し、調理ポット内の蒸気圧によって蒸気排出をコントロールすることができる蒸気排出手段を有し、パイプ形状のハンドルが形成され、該ハンドルにインストールされ外部電線の群に接続される補助加熱手段を有する点に特徴を有する。
【００１０】
そのため、本発明の調理ポットでは、ガスレンジのような外部加熱源と、調理ポット内に形成された補助加熱手段とで二重に加熱され、調理ポット中の水および食糧は熱源とより多く接触し、はるかに速く加熱される。そして他方、蓋の側部に形成される、蒸気圧によって蒸気排出をコントロールすることができる蒸気排出手段によって、蒸気の過剰な排出を抑制することができ、調理ポットの内部の温度および圧力を維持することができる。
【００１１】
さらに、本発明にかかる、水と食物を含むポット本体、およびポット本体の上部の開口部分を開閉するための蓋を有する調理ポットは、蓋の他の側の縁でポット本体との接続方向につきだした補助加熱手段を形成し、調理ポット内の蒸気圧によって蒸気排出をコントロールすることができる蒸気排出手段を有し、パイプ形状のハンドルが形成され、該ハンドルにインサートされ、外部電線の群に接続される補助加熱手段を有する点に特徴を有する。
【００１２】
そのため、本発明の調理ポットでは、加熱コイルが調理ポットの底部と側部にそれぞれビルトインされているので、調理ポット中の水および食糧は熱源とより多く接触し、はるかに速く加熱される。そして、蓋の側部に形成される、蒸気圧によって蒸気排出をコントロールすることができる蒸気排出手段によって、蒸気の過剰な排出を抑制することができ、調理ポットの内部の温度および圧力を維持することができる。
【００１３】
図面の簡単な説明
図１は、本発明の第１の実施態様に従って電気加熱手段を持っている沸騰ポットを図示する分解組み立て透視図である；
図２は、沸騰ポットの組み立てられた状態を図示する図１の線Ｉ−Ｉに沿って得られた横断面図である；
図３と４は、それぞれ電源がオンとオフの位置にある電源部分を図示する、部分的な拡大した横断面図である；
図５は、図１の沸騰ポットの使用時の状態を図示する横断面図である；
図６は、本発明の第２の実施態様に従って電気加熱手段を持っている沸騰ポットを図示する概要の横断面図である；
図７は、本発明の第３の実施態様に従って電気加熱手段を持っている沸騰ポットを図示する概要の横断面図である。
【００１４】
好ましい実施態様の詳細な説明
以下に、本発明について、付属の図面に示された望ましい例に基づいて詳細に説明される；
【００１５】
例１
図１は、本発明の第１の実施態様の、電気加熱手段を持っている沸騰ポットを図示する分解組み立て透視図である；また、図２は図１のＩ−Ｉ線に沿って得られた横断面図であり、沸騰ポットの組み立てられた状態を図示する。図３と４は、電源供給部分の部分的な拡大横断面図であり、それぞれ電源が供給されている位置、および電源が供給されていない位置を示す。図５は沸騰ポットの使用中の状態を図示する断面図である。
【００１６】
図１と２の中で示されるように、例示の調理ポットＡはポット本体１０、前記ポット本体１０の上部にビルトインされた蓋２０、および蓋２０の上面上に形成されたハンドル２２を有し、補助加熱手段３０が蓋２０の内側に形成され、蓋２０の他の側でポット本体１０に相対して突き出ているという点、および、蓋の本体に接続した側部に蒸気放出手段を形成し、該手段は調理ポット中の蒸気圧によって蒸気放出をコントロールすることができ、ビルトインされた電源接続手段４０が装備され、加熱コイル電気的に接続されて、外部の電源手段５０に接続することができる点に特徴を有する。
【００１７】
ここでは、補助的な加熱手段３０は、蓋２０の上でポット本体１０に相対する突き出し、および突き出した１対の電極の上の円錐コーン形状の輪郭を有するコイル部分３４として形成される。そしてさらに、加熱パネル３２をコイル部分３４の外側に形成し、これはコイル部分に蓋をし、水および食物との接触を防ぐ。
補助加熱手段３０の前記コイル部分３４は、蓋の他の側に、ポット本体に相対して形成される。より詳細には、それぞれがパイプ形状の２つのフランジ手段が形成され、１つのフランジを蓋の他の側に固定し、他のフランジを加熱手段３０の加熱板３２の上に固定し、それは溶接またはボルトのような公知の結合手段の使用により１ステップで形成される。
【００１８】
また、さらに、前記補助加熱手段３０のコイル部分３４は、ハンドル２２の上端に形成された、電源接続手段４０と電気的に接続される。
【００１９】
前記蓋２０の縁領域に、円筒状の側壁２４が形成される。それはポット本体１０の内部で周縁部と結合し、円筒状の側部２４の蒸気放出手段が形成される。蒸気放出手段は適切に放射することができる外観を有すれば任意の形態のもので十分である。この例では、前記円筒状の側部２４の長さ方向（外周縁の方向に垂直）に沿ってスリットが形成され、外部へ上記を放出するスリットの開口は、蒸気圧力が高いほど多く放出し、蒸気圧が減少すれば、それ自身の重量によって開口領域が減少する。
【００２０】
図３および４の中で示されるような前記電気接続手段４０は、ソケット４１およびハンドル２２の上端に形成したプレッシング部分４７を含む。ハンドル２２の底部と接続された本体部分４２と開かれたホルダー部分４３により形成されたソケット４１、これは本体部分４２の上端において本体部分よりも小さい外側直径を有する、の上に、電気供給手段５０のプラグ４２を挿入することができる。
ここで、前記ソケット４１の外観は円筒状かあるいは方形である。しかし、この例においては、円筒状が説明の便宜のために採用された。
【００２１】
前記ホルダー部分４３の直径が、前記本体部分４２より小さいため、ホルダー部分４３および前記本体部分４２の接続エリアにステップ差が生じ、また形成されたプレス部分４７は、上下に移動することができ、それは前記ホルダー部分４３および本体部分４２の外部に挿入される。また、さらに、前記ホルダー４３の中の加熱手段３０のコイル部分３４に電気的に接続した接続ターミナルが形成され、そして前記接続ターミナルは、プラグ５２の接続ターミナルに接続する。
【００２２】
プレス部分４７はソケット４１の本体４２の外径より大きな直径を持っている下部、およびホルダー部分４３の直径より大きな直径を持っている上部を含む。スルーホールは、前記ソケット４１の壁およびホルダー部分４３に互いに反対方向に形成される。スルーホールの各々には鋼球４５を挿入する。
プラグ５２がソケット４１に挿入されたとき、前記鋼球はプラグ５２に形成されたエンゲージメント溝５３に挿入される。これは、プラグ５２とソケット４ｌを安定に維持する役割を持っている。
【００２３】
前記プレス部分４７の上部の部分の内側（すなわちホルダー部分４３と連結する内部で）で、前記鋼球４５と同様のサイズを持っている弧形の溝４８が、互いに対面して形成される。下に説明するように、弧形の溝４８はプラグ５３のホルダー部分４３への出し入れの際に、剛体の球が引っ込むことができる余地を提供し、挿入され、または排出される鋼球４５がホルダー部分４３の内部から放出されないようにする。
【００２４】
鋼球４５と同じサイズを持っているエンゲージメント溝５３が、プラグ５２の外面に形成され、ホルダー部分４３のスルーホール４４と一致する該エンゲージメント溝５３は、プラグ５２が完全にホルダー部分４３に挿入された時に、形成される。ソケット４１のホルダー部分４３にプラグ５２が挿入されたとき、鋼球４５がエンゲージメント溝５３の中に挿入され、プラグ５２とソケット４１を安定に組み合わせる。
【００２５】
また、上に説明されたように、ソケット４１の本体部分４２とホルダー部分４３との間の接続エリアにのステップ差が生じ、このステップ差がプレッシング部分４７の底部と上部の部分との間の接続エリアのステップ差と相対する。
プレッシング部分４７とソケット４１の上に形成されたにステップ部分をばね４９で開くことにより、プレッシング部分は長さ方向に沿って弾性的に支持される。
【００２６】
さらに、前記ソケット４１のホルダー部分４３が上側に開かれるので、プラグ５２がはずされた際には、蒸気と汚れのような不純物にとって流入が簡単である。したがって、開かれたフェイスを閉鎖することができるカバーを形成することは望ましい。前記カバーは挿入又は取り外しを妨害しない場所に位置し、すなわちプレス部分４７外周縁の公知のヒンジデバイスにより固着される。
【００２７】
さて、図３および４を使用して、前記電源接続エレメント４０の操作に関して説明する。図３は、ソケット４１へのプラグ５２の接続状態を示す。鋼球４５は、プレス部分４７によってに内側に押される。また、鋼球４８の一部はプラグ５２のエンゲージメント溝５３に挿入される。この場合、前記鋼球は、固定機能の役割を行い、エンゲージメント溝５３に挿入されることにより、固定作用を奏し、プラグ５２およびソケット４１の両方の安定な組み合わせを維持することができる。
【００２８】
また、次に、図４は、ソケットへの前記プラグ５２の接続あるいは切断を示す。最初に、プレッシング部分４７を押すことにより下方に動かしてソケット４１にプラグ５２を接続する時、鋼球４５がプレス部分４７の溝４８に位置する場合、鋼球４５は前記溝４８に引っ込むことができる。したがって、ソケット４１のホルダー部分４３に挿入されたプラグ５２は、剛体の球４５の妨害を受けない。プラグ５２がホルダー部分４３と完全に接続されると、プレス部分４７は離される。このとき、前記プレス部分４７は最初の状態に返される。プラグ５２およびソケットは図３で示されるようであり、接続状態の安定を維持する。
【００２９】
前記ソケット４１のホルダー４３から前記プラグ５２を引き抜く操作を、上記の接続と比較すれば、それは、挿入／分離の操作の点でただ一つの違いを持っているだけで、他は等しいので詳細な記述は省略する。
【００３０】
ソケット４１の本体４２には、内側を通ってホルダー部分４３の開かれた底に接続した複数の排水孔４６を形成することができ、前記排水孔４６は、調理の間に生じた蒸気の凝縮によるホルダー部分４３の内部の水の排水のためである。この時ソケット４１とプラグ５２は公知の方法により絶縁される。
【００３１】
また、その後、前記プレッシング部分４７は、維持手段（図示されない）によって前記ソケット４１に維持される。言いかえれば、前記プレッシング部分４７は、スプリング４９の弾性力に耐えることができる程度の力でソケット４１上で維持される。かかる維持する手段は、半径方向につきだしている突起形状を有するストッパー、または前記プレッシング部分４７の下方下側、およびソケット４１の外側に形成されたリブ−溝形状であることができるが、詳細な記述および図面は省略される。
【００３２】
次に、本発明の例にかかる電源手段５０について説明する。電力供給手段５０は、補助加熱手段３０への外部電力の供給のためにあり、一方の端が、電源（図示されない）に接続された電線５１、および電線５１の他の端に接続されたプラグ５２を含む。
【００３３】
電線５１は好ましくは調理ポットＡの決まった位置に比較して、自由に伸張可能である。この目的のために電線５１を維持し引き出すことができ、箱形形状の保持ユニット５４が形成され、そして保持ユニット５４の一方の側（電線５１を引き出す方向の反対方向）に形成される保持バー５５によって壁に固定される。そして、引き取り部分５６が形成され、それは保持ユニット５４の内部に電線を弾性的に保持しておくことができる。
【００３４】
さらに引き出し穴が保持ユニット５４の１つの側に形成され、該引き出し穴は電線５１を通すことができ、ステップ部分上に形成されるプラグ５２を通さない。そのため、調理していない場合には電線５１を保持ユニット５４の中に保持し、調理する場合にはプラグ５２を引き、必要に応じて電線５１を簡単に引き出すことができる。
【００３５】
その間に、この実施態様例でのように、前記補助加熱手段３０はオン／オフされ、温度は温度調節装置（図示されない）によってコントロールされる。
【００３６】
以下に、本発明による図５に示される例１の調理ポットを使用したプロセスについて説明する。
最初に、ガスレンジのような加熱手段に、水または食物で満たされたポット本体１０を有する調理ポットを置き、前記プラグ５２を引き出し、ハンドル２２の上端に形成されたソケット４１にそれを挿入する。
次に、加熱手段および、もしあれば温度調節エレメント（図示されない）の電源スイッチがつけられ、調理ポット中の水あるいは食物は、外部加熱手段（例えば、ガスレンジ）および調理ポットＡの中の補助加熱体３０（それはコイル部分３４を有する熱盤３２である）によって速く熱される。
【００３７】
一旦、水または食物が沸騰を始めれば、電源スイッチをオフにするか、または温度コントロールにより補助加熱体３０からの熱供給を停止または減少し、エネルギーを節約し、水または食物の過熱を防ぐことができる。
【００３８】
他方では、蒸気が前記蓋２０を上げるほど過度に生成される場合、蒸気排除スロット２６が蒸気圧の増加に比例してますます開かれるので、過度の蒸気は蒸気排除スロット２６を通って外部に放出される。従って、水および（または）食物アイテムのオーバーフローは防がれる。その後、圧力が落ちるにつれ、カバー２０は自動的にそれ自身の重量によって低下し、ポット本体１２の横のスリットを閉じる。このようにして、一定の蒸気圧および一定温度を維持し、短期間内に食物を調理することが可能となる。
【００３９】
食物の調理が終わったら、ユーザーがプレス部分５２を押すと、ホルダー部分４３からプラグ５２が分離され、プラグ５２および電線５１が、巻取り部分の弾性の力によって配置部分５４に素早く入れられる。
【００４０】
例２
本発明による第２の実施態様が図６に示された。調理ポットは、ポット本体１１０、ポット本体１１０に挿入された蓋１２０、および前記蓋１２０の上面上に形成されたハンドルを有し、蓋の他の面の縁にポット本体１１０との接続方向に突き出た側部を形成し、外部から補助加熱手段１５０を挿入するためパイプ形状をしたハンドル１２２をインストールする。
【００４１】
本発明の第１の好ましい実施態様中の調理ポットＡでは、蓋２０に固定された補助加熱手段３０、および外部電源手段５０は分離され、ハンドルの上端上に形成された電源接続手段に接続されるが、第２の実施態様では、補助発熱体１５０はハンドル１２２上に形成されたスルーホールにより挿入し分離され、外部電源手段の中の電源接続手段を通さずに、補助加熱手段１５０に直接接続するという違いがある。
【００４２】
一方、図６には詳細には図示されないが、補助加熱手段１５０と接続する接続手段１４０はハンドル１２２の上端上に形成することができ、接続部分１４０でのホルダー部分１４３、ホルダー部分１４３の壁の上に形成されたスルーホールにインストールされた鋼球１４５、ホルダー部分１４３に挿入されたプレッシング部分１４７，プレッシング部分１４７の内側に形成された溝、および補助加熱手段１５０の外側に形成されたエンゲージメント溝は、第１実施態様と同じ構成を有し、これらの構成の詳細な説明は省略される。
【００４３】
図６の中で示されたように、この例における調理ポットＡでは、前記ハンドル１２２は蓋１２０の上部からつきだして形成され、前記ハンドル１２２はパイプ形状に形成され、その中に前記補助加熱手段１５０は挿入することができる。
【００４４】
さらに、ハンドル１２２の上端においては、接続手段１４０が形成され、前記補助加熱手段１５０に接続する。例１における前記接続手段１４０の構成は、ソケット４１のものおよびプレッシング部分４７のものと同じである。しかしながら、ただ一つの違いは、第１の例ではプラグ５２はソケット４１のホルダー部分４３の内部へ挿入され、本実施例ではロッド形の加熱手段が調理ポットＡに接続手段１４０を介して挿入されることである。言いかえれば、前記鋼球４５の挿入のための弧形のエンゲージメント溝５３はプラグ５２の外側に形成されるが、例１におけるものと同一のエンゲージメント溝が例２においてはロッド形の補助加熱手段１５０の外面上で形成される。他の構成および操作は第１実施態様と同じであり、これらの詳細な説明は省略される。
【００４５】
本実施例において、補助加熱手段１５０の１つの末端は電線１５１に接続され、他端はロッド形の補助手段１５０の長さに沿ってある範囲を与えるコイル１５２に格納した。ここでコイル１５２は電線１５１と電気的に接続される。
【００４６】
反対側で、パイプ形に形成された前記ハンドル１２２は、補助加熱手段１５０がハンドル１２２に挿入されていないとき、調理ポットＡのポット本体１１０にインストールされた蓋１２０は常に、外部の大気にベントされている。これは調理ポット内の水または食物の沸騰が遅い理由であり、調理ポットＡが使用されていない間、調理ポットへほこりと不純物の流入の理由を提供する。したがって、これらの問題を解決するために、前記ハンドルの上端の上にインストールしたカバー１４９を提供することは望ましい。ここで開閉できる前記カバー１４９はストリングによって蓋１２０に接続するか、あるいはハンドル１２２に接続され、ロスを防ぐ。
【００４７】
次に、本発明中の第２の実施態様による調理ポットＡの使用方法について説明する。
最初に、ガスレンジのような加熱手段に、水または食物で満たされたポットを置き、加熱する。このとき、ハンドルの上端の上にインストールしたカバー１４９を開け、接続手段１４０のプレッシング部分１４７を押し、ロッド形状の補助加熱手段１５０をハンドル１２２に挿入する。その後温度調節手段のスイッチをオンにして補助加熱手段１５０に電力を供給する。
【００４８】
調理ポットＡの中の水あるいは食物が沸騰したとき、前記補助加熱手段１５０ははずされるか、あるいは、ハンドル１２２の上端の開口はカバーによって閉められる、あるいは温度調節手段によって補助加熱手段１５０の温度をコントロールする。それによって、調理ポットＡの中の温度と圧力を維持することができる。
【００４９】
実施例３
次に、図７の本発明の３番目の実施態様について説明する。
図７に示されたように、３番目の実施態様中のＡは、蓋２２０の外部の縁においてポット本体２１０との組み合わせの方向に突き出すように形成される側部、および調理ポット中の蒸気圧によって上記放出をコントロールすることができる蒸気放出エレメントを持ち、熱生成エレメント２３０，２３２が底部および側部にビルトインされ、電源手段２４０が外部電源手段に接続され、熱生成エレメント２３０，２３２と電気的に接続されている点に特徴を有する。さらに、通常のハンドル２２２は、調理ポットＡの蓋２２０の上側に形成される。
【００５０】
電源接続手段２４０は、温度調節スイッチ２４２およびプラグ２５２に接続され、前記熱生成コイル２３０，２３２と電気的に接続されるソケット２４１を有する。すなわち、電源接続手段２４０とハンドルが組み合わされ、簡単な構成を生ずることが好ましく、この場合、それぞれのソケット２４１および温度調節スイッチ２４２は、好ましくはハンドル末端および側部にあることが好ましい。
【００５１】
さらに、第１および第２の実施態様と同様に、本実施態様中の蒸気放出エレメントは、長さの方向に沿ったカバー２２０の横２２４に形成したスリット２２６を有する。
【００５２】
これまでのところ、本発明の調理ポットは特定の実施態様によって記述されたが、これらの例に制限されないか、制限されるべきでない。本発明が属する分野において通常の知識を有する人は、それらがその技術的な考えから逸脱しない範囲内において本発明を種々に修正することができる。本発明の技術的な範囲はさらに単にその特許請求項に記述された構成ではなく、それは本発明との等価な関係を有する他のすべての構成を包含している。
【００５３】
産業上の利用可能性
本発明によれば、常温から沸点まで水を熱するのに必要な時間は、著しく短くすることができる。また、エネルギー消費は減少した。
さらに、本発明の調理ポットによれば、蓋を頻繁に開閉することは必要ではない。蒸気は、蓋に形成した蒸気放出手段によってコントロールされる、したがって、水または食物の温度および圧力を維持するだけでなく、調理中の煩雑な蓋の開閉により生ずる安全上の事故を防ぐ。
【図面の簡単な説明】
【００５４】
【図１】図１は、本発明の第１の実施態様に従って電気加熱手段を持っている沸騰ポットを図示する分解組み立て透視図である。
【図２】図２は、沸騰ポットの組み立てられた状態を図示する図１の線Ｉ−Ｉに沿って得られた横断面図である。
【図３】図３は、それぞれ電源がオンとオフの位置にある電源部分を図示する、部分的な拡大した横断面図である。
【図４】４は、それぞれ電源がオンとオフの位置にある電源部分を図示する、部分的な拡大した横断面図である。
【図５】図５は、図１の沸騰ポットの使用時の状態を図示する横断面図である。
【図６】図６は、本発明の第２の実施態様に従って電気加熱手段を持っている沸騰ポットの概要の横断面図である。
【図７】図７は、本発明の第３の実施態様に従って電気加熱手段を有する沸騰ポットの概要の横断面図である。
【国際公開パンフレット】
2004524941.tif 000003
2004524941.tif 000004
2004524941.tif 000005
2004524941.tif 000006
2004524941.tif 000007
2004524941.tif 000008
2004524941.tif 000009
2004524941.tif 000010
2004524941.tif 000011
2004524941.tif 000012
2004524941.tif 000013
2004524941.tif 000014
2004524941.tif 000015
2004524941.tif 000016
2004524941.tif 000017
2004524941.tif 000018
2004524941.tif 000019
2004524941.tif 000020
2004524941.tif 000021
2004524941.tif 000022
2004524941.tif 000023
2004524941.tif 000024
2004524941.tif 000025
2004524941.tif 000026
2004524941.tif 000027
2004524941.tif 000028
2004524941.tif 000029
2004524941.tif 000030
2004524941.tif 000031
【国際調査報告】
2004524941.tif 000032
2004524941.tif 000033